(57)【要約】【課題】継ぎ目なしに一体化され完結した外観を有するタッチ式ハンドヘルド電子装置を提供する。【解決手段】筐体、本体、抵抗型タッチパネル、及びフィルムを具えたタッチ式ハンドヘルド電子装置を提供する。本体は筐体内に配置され、筐体外に露出した表示モジュールを有する。抵抗型タッチパネルは表示モジュール上に配置され、フィルムは、抵抗型タッチパネル、及び抵抗型タッチパネルの周囲にある筐体の一部分を覆う。【選択図】図３
2010097592.tif 000002
【特許請求の範囲】
【請求項１】
筐体と；
前記筐体内に配置された本体であって、前記筐体外に露出した表示モジュールを具えた本体と；
前記表示モジュール上に配置された抵抗型タッチパネルと；
前記抵抗型タッチパネル、及び前記抵抗型タッチパネルの周囲にある前記筐体の一部分を覆うフィルムと
を具えていることを特徴とするタッチ式ハンドヘルド電子装置。
【請求項２】
前記フィルムが弾性であることを特徴とする請求項１に記載のタッチ式ハンドヘルド電子装置。
【請求項３】
前記フィルムがプラスチック製であることを特徴とする請求項１に記載のタッチ式ハンドヘルド電子装置。
【請求項４】
前記筐体が上部筐体及び下部筐体から成り、前記フィルムと前記筐体とが一体に形成されていることを特徴とする請求項１に記載のタッチ式ハンドヘルド電子装置。
【請求項５】
前記フィルムが、前記上部筐体の上面全体を覆うことを特徴とする請求項４に記載のタッチ式ハンドヘルド電子装置。
【請求項６】
前記フィルムが、前記上部筐体の上面の一部分を覆うことを特徴とする請求項４に記載のタッチ式ハンドヘルド電子装置。
【請求項７】
前記フィルム、前記上部筐体、及び前記抵抗型タッチパネルが一体に形成されていることを特徴とする請求項４に記載のタッチ式ハンドヘルド電子装置。
【請求項８】
前記上部筐体が支持部を具え、前記表示モジュールが前記支持部上に固定され、前記抵抗型タッチパネルと前記表示モジュールとの間にギャップが維持されることを特徴とする請求項７に記載のタッチ式ハンドヘルド電子装置。
【請求項９】
前記フィルム、前記上部筐体、前記抵抗型タッチパネル、及び前記表示モジュールが一体に形成されていることを特徴とする請求項４に記載のタッチ式ハンドヘルド電子装置。
【請求項１０】
さらに、前記抵抗型タッチパネルと前記表示モジュールとの間に配置された第１接着層を具えていることを特徴とする請求項１に記載のタッチ式ハンドヘルド電子装置。
【請求項１１】
さらに、前記フィルムと前記抵抗型タッチパネルとの間に配置された第２接着層を具えていることを特徴とする請求項１に記載のタッチ式ハンドヘルド電子装置。
【請求項１２】
さらに、前記抵抗型タッチパネルと前記表示パネルとの間に配置された緩衝材を具えていることを特徴とする請求項１に記載のタッチ式ハンドヘルド電子装置。
【請求項１３】
前記緩衝材が、前記表示モジュールの外周に配置されたリングであることを特徴とする請求項１２に記載のタッチ式ハンドヘルド電子装置。
【請求項１４】
前記緩衝材が発泡体製であることを特徴とする請求項１２に記載のタッチ式ハンドヘルド電子装置。
【請求項１５】
前記フィルムが、前記抵抗型タッチパネル上の前記表示モジュールから離れた所に配置された複数のキーパターンを有することを特徴とする請求項１に記載のタッチ式ハンドヘルド電子装置。
【発明の詳細な説明】
【技術分野】
【０００１】
（関連出願のクロスリファレンス）
本願は、中華民国特許出願第９７１３９５３３号、２００８年１０月１５日出願に基づいて優先権を主張する。上記特許出願は、その全体を参考文献として本明細書に含め、本明細書の一部をなす。
【０００２】
１．発明の分野
本発明は一般にハンドヘルド（手持ち式、携帯）電子装置に関するものであり、特にタッチ式ハンドヘルド電子装置に関するものである。
【背景技術】
【０００３】
２．関連技術の説明
電子産業におけるより一層の進歩により、携帯電話及びパーソナル・デジタル・アシスタント（ＰＤＡ：Personal Digital Assistant、個人用携帯情報端末）のようなハンドヘルド電子装置はすべて、より便利、多機能かつ美的であるように発展している。表示モジュールは、ハンドヘルド電子装置におけるユーザの操作をずっと容易にするための不可欠な構成要素である。操作に一層の利便性をもたらし、より小さい体積を達成し、そしてより人間的になるために、多くのハンドヘルド電子装置は、キーに加えた入力装置として働くタッチパネルを採用している。
【０００４】
図１は、従来のタッチ式ハンドヘルド電子装置の概略断面図である。図１に示すように、タッチ式ハンドヘルド電子装置１００のタッチパネル１１０と筐体（ハウジング）１２０とは、領域Ａにおいて高さの差Ｈを有する。この高さの差Ｈは、ユーザがタッチパネル１１０の周縁部で操作することを不便にすると共に、タッチ式ハンドヘルド電子装置１００の外形を平らでなくする。
【０００５】
図２は、他の従来のタッチ式ハンドヘルド電子装置の概略断面図である。図２に示すように、図１のタッチ式ハンドヘルド電子装置１００に比べれば、タッチ式ハンドヘルド電子装置１００ａのタッチパネル１１０ａ及び筐体１２０ａは領域Ａ１では高さの差がないが、まだギャップＤ１が開いている。従って、タッチ式ハンドヘルド電子装置１００ａは継ぎ目なし（シームレス）に一体化することができず、このため、ユーザがタッチパネル１１０ａの周縁部で操作するのは不便である。これに加えて、取り除くことが困難な粉塵及び綿ぼこりがギャップＤ１内に付き易く、従って全体の外観に悪影響し得る。
【発明の概要】
【発明が解決しようとする課題】
【０００６】
従って、本発明は、継ぎ目なしに一体化され完結した外観を有するタッチ式ハンドヘルド電子装置に指向したものである。
【課題を解決するための手段】
【０００７】
本発明は、筐体、本体、抵抗型タッチパネル、及びフィルムを具えたタッチ式ハンドヘルド電子装置を提供する。本体は筐体内に配置され、筐体外に露出した表示モジュールを有する。抵抗型タッチパネルは表示モジュール上に配置され、フィルムは、抵抗型タッチパネル、及び抵抗型タッチパネルの周囲にある筐体の一部分を覆う。
【０００８】
本発明のタッチ式ハンドヘルド電子装置は、タッチパネル、及びタッチパネルの周囲にある筐体の一部分を覆うフィルムを有し、これにより、タッチ式ハンドヘルド電子装置が、継ぎ目なしに一体化され完結した外観を有する。このようにして、タッチ式ハンドヘルド電子装置の外観がより美的になりデザインのセンスを達成するだけでなく、タッチ式ハンドヘルド電子装置の平らでない外観により、ユーザが操作、あるいはたまった粉塵及び綿ぼこりを清掃することが不便であるという従来技術における問題も解決することができる。
【０００９】
本発明の上述した目的、特徴、及び利点、及び他の目的、特徴、及び利点を理解できるようにするために、以下にその実施例を、図面を参照しながら詳細に説明する。
【００１０】
これらの図面は、本発明のさらなる理解を与えるために含め、本明細書に含まれ、本明細書の一部を構成する。これらの図面は本発明の実施例を例示し、記載と共に本発明の原理を説明する働きをする。
【図面の簡単な説明】
【００１１】
【図１】従来のタッチ式ハンドヘルド電子装置の概略断面図である。
【図２】他の従来のタッチ式ハンドヘルド電子装置の概略断面図である。
【図３】本発明の実施例によるタッチ式ハンドヘルド電子装置の概略断面図である。
【図４】図３のタッチ式ハンドヘルド電子装置の概略上面図である。
【図５】本発明の他の実施例によるタッチ式ハンドヘルド電子装置の概略断面図である。
【図６】本発明の他の実施例によるタッチ式ハンドヘルド電子装置の概略断面図である。
【図７】本発明の他の実施例によるタッチ式ハンドヘルド電子装置の概略断面図である。
【図８】本発明のさらに他の実施例によるタッチ式ハンドヘルド電子装置の概略断面図である。
【図９】本発明のさらに他の実施例によるタッチ式ハンドヘルド電子装置の概略断面図である。
【発明を実施するための形態】
【００１２】
以下、本発明の実施例を詳細に参照し、図面にはその例を示す。可能な限り、図面及び説明中では、同じ参照番号は同様または類似の部分を参照すべく用いる。
【００１３】
図３は、本発明の実施例によるタッチ式ハンドヘルド電子装置の概略断面図であり、図４は、図３のタッチ式ハンドヘルド電子装置の概略上面図である。図３に示すように、この実施例のタッチ式ハンドヘルド電子装置２００は、例えば携帯電話またはパーソナル・デジタル・アシスタント（ＰＤＡ）であり、筐体２１０、本体２２０、抵抗型タッチパネル２３０、及びフィルム２４０を具えている。本体２２０は筐体２１０内に配置され、筐体２１０外に露出した表示モジュール２２２を有する。抵抗型タッチパネル２３０が表示モジュール２２２上に配置され、フィルム２４０が、抵抗型タッチパネル２３０、及び抵抗型タッチパネル２３０の周囲にある筐体２１０の一部分を覆う。これに加えて、ギャップＤ２が抵抗型タッチパネル２３０と筐体２１０との間に存在し、このキャップもフィルム２４０によって覆われ、これにより、タッチ式ハンドヘルド電子装置２００が、継ぎ目なしに一体化され完結した外観を得る。
【００１４】
この実施例では、フィルム２４０は弾性であり、そして例えばプラスチック製である。筐体２１０は上部筐体２１２及び下部筐体２１４を含む。フィルム２４０と上部筐体２１２とは、射出成形または他の方法によって一体に形成することができ、フィルム２４０は上部筐体２１２の上面全体を覆う。タッチ式ハンドヘルド電子装置２００はさらに、抵抗型タッチパネル２３０と表示モジュール２２２との間に配置された、抵抗型タッチパネル２３０を表示モジュール２２２に固定するための第１接着層２５０を具えている。これに加えて、タッチ式ハンドヘルド電子装置２００はさらに、フィルム２４０と抵抗型タッチパネル２３０との間に配置された第２接着層２６０を具えている。
【００１５】
図３に示すように、この実施例の抵抗型タッチパネル２３０は、上部導電層２３２、下部導電層２３４、及び基板２３６を具えている。上部導電層２３２はフィルム２４０に取り付けられ、基板２３６は第１接着層２５０によって表示モジュール２２２に接着され、下部導電層２３４は上部導電層２３２と基板２３６との間に配置されている。基板２３６は例えばガラスまたは透明プラスチック製である。上部導電層２３２及び下部導電層２３４は、例えば酸化インジウムスズ（ＩＴＯ：Indium Tin Oxide）または酸化インジウム亜鉛（ＩＺＯ：Indium Zinc Oxide）である。
【００１６】
ユーザが指またはスタイラスによって上部導電層２３２及び下部導電層２３４に圧力を加えると、上部導電層２３２上の加圧位置が変形して、上部導電層２３２と下部導電層２３４との間の抵抗が変化する。抵抗型タッチパネル２３０はこの抵抗変化により信号を発生し、この信号は操作後の表示モジュール２２２に出力されて画像を生成する。
【００１７】
図３及び４に示すように、この実施例では、フィルム２４０は、抵抗型タッチパネル２３０上に配置された複数のキーパターン２２４を有し、キーパターン２２４は表示モジュール２２２から離れた所にあり、これにより、ユーザはキーパターン２２４の領域でのタッチ機能によってタッチ式ハンドヘルド電子装置２００を操作することができる。
【００１８】
図５は、本発明の他の実施例によるタッチ式ハンドヘルド電子装置の概略断面図である。図５に示すように、図３のタッチ式ハンドヘルド電子デバイス２００に比べれば、この実施例のタッチ式ハンドヘルド電子装置２００ａは、上部筐体２１２ａの上面の一部分のみを覆うフィルム２４０ａを有する。
【００１９】
図６は、本発明の他の実施例によるタッチ式ハンドヘルド電子装置の概略断面図である。図６に示すように、図３のタッチ式ハンドヘルド電子装置２００に比べれば、この実施例のタッチ式ハンドヘルド電子装置２００ｂは、射出成形または他の方法によってフィルム２４０及び抵抗型タッチパネル２３０と一体に形成した上部筐体２１２ｂを有する。
【００２０】
図７は、本発明の他の実施例によるタッチ式ハンドヘルド電子装置の概略断面図である。図７に示すように、図３のタッチ式ハンドヘルド電子装置２００に比べれば、この実施例のタッチ式ハンドヘルド電子装置２００ｃは第１接着層２５０を有さず、上部筐体２１２ｃが支持部Ｓを有し、表示モジュール２２２は支持部Ｓ上に固定されている。これに加えて、ギャップＤ３が抵抗型タッチパネル２３０と表示モジュール２２２との間に維持される。
【００２１】
図８は、本発明のさらに他の実施例によるタッチ式ハンドヘルド電子装置の概略断面図である。図８に示すように、図３のタッチ式ハンドヘルド電子装置２００に比べれば、この実施例のタッチ式ハンドヘルド電子装置２００ｄは、射出成形または他の方法でフィルム２４０、抵抗型タッチパネル２３０、及び表示モジュール２２２と一体に形成した上部筐体２１２ｃを有する。
【００２２】
図９は、本発明のさらに他の実施例によるタッチ式ハンドヘルド電子装置の概略断面図である。図９に示すように、図３のタッチ式ハンドヘルド電子装置２００に比べれば、この実施例のタッチ式ハンドヘルド電子装置２００ｅは第１接着層２５０を有しないが、さらに、抵抗型タッチパネル２３０と表示モジュール２２２との間に配置された緩衝材２７０を具え、これにより表示モジュール２２２と抵抗型タッチパネル２３０との間にギャップＤ４を維持する。緩衝材２７０は表示モジュールの外周に配置されたリング（環）であり、例えば発泡体製である。
【００２３】
要約すれば、本発明のタッチ式ハンドヘルド電子装置は、タッチパネル、及びタッチパネルの周囲にある筐体の一部分を覆うフィルムを有し、タッチパネルと筐体との間のギャップもこのフィルムによって覆われ、これにより、このタッチ式ハンドヘルド電子装置は継ぎ目なしに一体化され完結した外観を有する。このようにして、タッチ式ハンドヘルド電子装置の平らでない外形による、ユーザがタッチパネルの周縁部で操作することの不便さを回避する。継ぎ目なしに一体化され完結した外観を有するタッチ式ハンドヘルド電子装置では、取り除くことが困難な粉塵及び綿ぼこりをたまりにくくすることができ、従って装置の表面は清掃し易い。これに加えて、外観の設計については、継ぎ目なしに一体化され完結した外観を有するタッチ式ハンドヘルド電子装置はより多くの設計の可能性を有する。
【００２４】
本発明の範囲を逸脱することなしに、本発明の構造に種々の変更及び変形を加え得ることは、当業者にとって明らかである。以上の観点から、本発明の変更及び変形が請求項及びそれと等価なものの範囲内に入るものとすれば、本発明はこれらの変更及び変形をカバーすることを意図する。
【符号の説明】
【００２５】
１００  タッチ式ハンドヘルド電子装置
１１０  タッチパネル
１２０  筐体
１００ａ  タッチ式ハンドヘルド電子装置
１１０ａ  タッチパネル
１２０ａ  筐体
２００  タッチ式ハンドヘルド電子装置
２１０  筐体
２１２  上部筐体
２１４  下部筐体
２２０  本体
２２２  表示モジュール
２３０  抵抗型タッチパネル
２３２  上部導電層
２３４  下部導電層
２３６  基板
２４０  フィルム
２５０  第１接着層
２６０  第２接着層
２２４  キーパターン
２００ａ  タッチ式ハンドヘルド電子装置
２１２ａ  上部筐体
２４０ａ  フィルム
２００ｂ  タッチ式ハンドヘルド電子装置
２１２ｂ  上部筐体
２００ｃ  タッチ式ハンドヘルド電子装置
２１２ｃ  上部筐体
２００ｄ  タッチ式ハンドヘルド電子装置
２１２ｄ  上部筐体
２００ｅ  タッチ式ハンドヘルド電子装置
２７０  緩衝材
【図１】
2010097592.tif 000003
【図２】
2010097592.tif 000004
【図３】
2010097592.tif 000005
【図４】
2010097592.tif 000006
【図５】
2010097592.tif 000007
【図６】
2010097592.tif 000008
【図７】
2010097592.tif 000009
【図８】
2010097592.tif 000010
【図９】
2010097592.tif 000011
【外国語明細書】
2010097592000001.pdf